(57)【要約】【課題】インキタンク内のインキ色やインキ残量を視認できるとともに、落下衝撃や筆記時の接触等による、インキタンクが筆記具本体との結合部分から外れることを防止できるインキタンク交換式筆記具を提供する。【解決手段】筆記具本体２が、前端にペン先３を備えた軸筒５と、前記軸筒５の後端開口部に着脱自在に取り付けられ、前端が開口され且つ後端が閉鎖された有底筒状の尾栓７とからなる。インキタンク８の前端部を軸筒５の内部に挿着する。インキタンク８の後端部を軸筒５の後端開口部より後方に突出させる。尾栓７の内部にインキタンク８の後端部を収容する。インキタンク８及び尾栓７を透明材料により構成する。【選択図】  図１
0003150534.tif 000002
【実用新案登録請求の範囲】
【請求項１】
筆記具本体の内部にインキタンクを交換可能に収容したインキタンク交換式筆記具であって、前記筆記具本体が、前端にペン先を備えた軸筒と、前記軸筒の後端開口部に着脱自在に取り付けられ、前端が開口され且つ後端が閉鎖された有底筒状の尾栓とからなり、インキタンクの前端部を軸筒の内部に挿着し、インキタンクの後端部を軸筒の後端開口部より後方に突出させ、尾栓の内部にインキタンクの後端部を収容し、前記インキタンク及び前記尾栓を透明材料により構成したことを特徴とするインキタンク交換式筆記具。
【請求項２】
前記尾栓の前部に、軸筒の後端開口部と着脱可能に取り付けられる軸筒取付部を設け、前記尾栓の後部に、ペン先側から取り外したキャップが取り付け可能なキャップ取付部を設け、前記尾栓の軸筒取付部とキャップ取付部との間に、インキタンク内のインキを外部より視認可能とするインキ視認部を設けた請求項１記載のインキタンク交換式筆記具。
【請求項３】
前記尾栓の前部外周面に、軸筒の後端開口部と着脱可能に取り付けられる、雄ネジ部からなる軸筒取付部を設け、前記尾栓の後部外周面に、ペン先側から取り外したキャップが取り付け可能なキャップ取付部を設け、前記尾栓の軸筒取付部とキャップ取付部との間に、インキタンク内のインキを外部より視認可能とするインキ視認部を設け、前記軸筒取付部とインキ視認部との間の尾栓の外周面に、軸筒の後端と当接可能な前向段部を設け、前記インキ視認部とキャップ取付部との間の尾栓の外周面に、キャップの開口端と当接可能な後向段部を設けた請求項１記載のインキタンク交換式筆記具。
【請求項４】
前記尾栓の後端壁の内面または尾栓のキャップ取付部内周面に、インキタンクの後端が当接可能な当接壁部を形成した請求項２または３記載のインキタンク交換式筆記具。
【請求項５】
前記尾栓の側壁内周面に、インキタンクの後端が当接可能な当接壁部を形成し、前記当接壁部の後方の尾栓の外周面にキャップ取付部を設けた請求項２または３記載のインキタンク交換式筆記具。
【請求項６】
前記尾栓の外周面のインキ視認部に転がり防止用突起を設け、前記転がり防止用突起の径方向の頂部が、軸筒の外周面から後方に延ばした延長線より径方向外方に位置してなる請求項２乃至５のいずれかに記載のインキタンク交換式筆記具。
【考案の詳細な説明】
【技術分野】
【０００１】
本考案は、インキタンク交換式筆記具に関する。
【背景技術】
【０００２】
従来この種の筆記具おいて、特許文献１には、インキ色やインキ残量を外部に表示する目的で、内部に収容するインキを外観可能となすよう透明性を有する材質からなるインキタンクと、筆記具本体に対して着脱可能となす取り付け部とから少なくともなるリフィルを筆記具本体に取り付けてなるリフィル交換式筆記具において、前記筆記具本体はその後部に開放孔を形成し、この開放孔より前記インキタンクを突出させてなるリフィル交換式筆記具が開示されている。
【０００３】
【特許文献１】実開平６−８６９７５号公報
【考案の開示】
【考案が解決しようとする課題】
【０００４】
前記特許文献１の筆記具は、インキタンクが筆記具本体より後方に突出しているため、落下等の衝撃や、筆記使用時のインキタンク後端部と手との接触等によって、インキタンクが筆記具本体との結合部分から外れ、それにより、インキタンク内のインキが外部に漏出するおそれがある。
【０００５】
また、前記特許文献１の筆記具は、筆記使用時にペン先側から外したキャップを筆記具本体の後部に装着した場合、キャップでインキタンクを覆い、筆記具本体より後方に突出するインキタンクを十分に視認できないおそれがある。
【０００６】
本考案は前記従来の問題点を解決するものであって、インキタンク内のインキ色やインキ残量を視認できるとともに、落下衝撃や筆記時の接触等による、インキタンクが筆記具本体との結合部分から外れることを防止でき、また、筆記時にキャップを筆記具後部に装着してもインキタンク内のインキ色やインキ残量を確実に視認できるインキタンク交換式筆記具を提供しようとするものである。尚、本考案において、「前」とはペン先側を指し、「後」とはインキタンク側を指す。
【課題を解決するための手段】
【０００７】
（構成１）
本考案は、筆記具本体２の内部にインキタンク８を交換可能に収容したインキタンク交換式筆記具であって、前記筆記具本体２が、前端にペン先３を備えた軸筒５と、前記軸筒５の後端開口部に着脱自在に取り付けられ、前端が開口され且つ後端が閉鎖された有底筒状の尾栓７とからなり、インキタンク８の前端部を軸筒５の内部に挿着し、インキタンク８の後端部を軸筒５の後端開口部より後方に突出させ、尾栓７の内部にインキタンク８の後端部を収容し、前記インキタンク８及び前記尾栓７を透明材料により構成したこと（構成１）を要件とする。
【０００８】
前記構成１のインキタンク交換式筆記具１は、インキタンク８及び尾栓７を透明材料により構成したことにより、尾栓７及びインキタンク８を通してインキタンク８内部のインキを視認でき、インキ色やインキ残量を目で確認できる。さらに、前記構成１のインキタンク交換式筆記具１は、軸筒５の後端開口部に尾栓７が取り付けられた状態において、筆記使用時に筆記具本体２後端からインキタンク８が外部に突出する構造でないため、落下衝撃時や、筆記時用時のインキタンク８との接触による、インキタンク８が筆記具本体２との結合部分から外れることを防止でき、その結果、インキタンク８内のインキが外部に漏出することを回避できる。
【０００９】
（構成２）
前記構成１のインキタンク交換式筆記具１において、前記尾栓７の前部に、軸筒５の後端開口部と着脱可能に取り付けられる軸筒取付部７１を設け、前記尾栓７の後部に、ペン先３側から取り外したキャップ９が取り付け可能なキャップ取付部７３を設け、前記尾栓７の軸筒取付部７１とキャップ取付部７３との間に、インキタンク８内のインキを外部より視認可能とするインキ視認部７２を設けたこと（構成２）が好ましい。
【００１０】
前記構成２のインキタンク交換式筆記具１は、筆記時にキャップ９を尾栓７に装着しても、インキ視認部７２を通してインキタンク８内のインキを外部から視認でき、インキタンク８内のインキ色やインキ残量を確実に視認できる。
【００１１】
（構成３）
前記構成２のインキタンク交換式筆記具１において、前記尾栓７の前部外周面に、軸筒５の後端開口部と着脱可能に取り付けられる、雄ネジ部からなる軸筒取付部７１を設け、前記尾栓７の後部外周面に、ペン先３側から取り外したキャップ９が取り付け可能なキャップ取付部７３を設け、前記尾栓７の軸筒取付部７１とキャップ取付部７３との間に、インキタンク８内のインキを外部より視認可能とするインキ視認部７２を設け、前記軸筒取付部７１とインキ視認部７２との間の尾栓７の外周面に、軸筒５の後端と当接可能な前向段部７５を設け、前記インキ視認部７２とキャップ取付部７３との間の尾栓７の外周面に、キャップ９の開口端と当接可能な後向段部７６を設けたこと（構成３）が好ましい。
【００１２】
前記構成３のインキタンク交換式筆記具１は、筆記時にキャップ９を尾栓７のキャップ取付部７３に装着した際、インキ視認部７２を通してインキタンク８内のインキを外部から視認でき、インキタンク８内のインキ色やインキ残量を確実に視認できる
【００１３】
（構成４）
前記構成２または３インキタンク交換式筆記具１において、前記尾栓７の後端壁の内面または尾栓７のキャップ取付部７３内周面に、インキタンク８の後端が当接可能な当接壁部７４を形成したこと（構成４）が好ましい。
【００１４】
前記構成４のインキタンク交換式筆記具１は、インキタンク８の後端部が軸筒５後端から後方に突出する突出量を大きく設定でき、尾栓７のインキ視認部７２の前端から後端までの領域で、インキタンク８内のインキ色及びインキ残量の視認が可能となる。
【００１５】
（構成５）
前記構成２または３のインキタンク交換式筆記具１において、前記尾栓７の側壁内周面に、インキタンク８の後端が当接可能な当接壁部７４を形成し、前記当接壁部７４の後方の尾栓７の外周面にキャップ取付部７３を設けたこと（構成５）が好ましい。
【００１６】
前記構成５のインキタンク交換式筆記具１は、当接壁部７４の後方にキャップ取付部７３を設けたことにより、キャップ９を尾栓７の外面に装着した際にインキタンク８がキャップ９で覆われることを回避でき、インキタンク８内のインキ色及びインキ残量の視認が、より一層、確実となる。
【００１７】
（構成６）
前記構成２乃至５において、前記尾栓７の外周面のインキ視認部７２に転がり防止用突起７７を設け、前記転がり防止用突起７７の径方向の頂部が、軸筒５の外周面から後方に延ばした延長線より径方向外方に位置してなること（構成６）が好ましい。
【００１８】
前記構成６のインキタンク交換式筆記具１は、筆記具本体２を机等の平面上に載置しても、転がり防止用突起７７によって平面上を転がることが阻止される。前記転がり防止用突起７７は、インキ視認部７２の前端部に設けることが、インキ視認部７２におけるインキ視認性を向上させる点で好ましい。
【考案の効果】
【００１９】
本考案は構成１により、インキタンク内のインキ色やインキ残量を視認できるとともに、落下衝撃や筆記時の接触等による、インキタンクが筆記具本体との結合部分から外れることを防止できる。
【００２０】
本考案は構成２により、筆記時にキャップを尾栓に装着しても、インキタンク内のインキ色やインキ残量を確実に視認できる。
【００２１】
本考案は構成３により、筆記時にキャップを尾栓に装着しても、インキタンク内のインキ色やインキ残量を確実に視認できる。
【００２２】
本考案は構成４により、尾栓のインキ視認部の前端から後端までの領域で、インキタンク内のインキ色及びインキ残量の視認が可能となる。
【００２３】
本考案は構成５により、キャップを尾栓の外面に装着した際にインキタンクがキャップで覆われることを回避でき、インキタンク内のインキ色及びインキ残量の視認が、より一層、確実となる。
【００２４】
本考案は構成６により、筆記具本体を机等の平面上に載置しても、平面上を転がることが阻止できる。
【考案を実施するための最良の形態】
【００２５】
（第１の実施の形態）
本考案の第１の実施の形態のインキタンク交換式筆記具１を図１及び図２に示す。本実例の形態のインキタンク交換式筆記具１は、ペン先３と、前記ペン先３後端に接続されるインキ吸蔵体４と、前記インキ吸蔵体４の後方に配置される中間部材６と、前記中間部材６の後方に配置されるインキタンク８と、前端部で前記ペン先３を保持し且つ内部に前記インキ吸蔵体４、前記中間部材６、及び前記インキタンク８前部を収容する軸筒５と、前記軸筒５の後端開口部に着脱自在に螺着される尾栓７と、軸筒５のペン先３側外面及び尾栓７の後端部外面に着脱自在に装着されるキャップ９とからなる。本実施の形態で、筆記具本体２が、軸筒５と尾栓７とからなり、筆記具本体２の内部にインキタンク８が交換可能に収容される。
【００２６】
・ペン先
前記ペン先３は、合成樹脂製繊維（例えば、ポリエステル繊維、アクリル繊維、ナイロン繊維等）の樹脂加工により得られる棒状体である。前記ペン先３の前端は、砲弾状に研削される。前記ペン先３の後端部外周面は、テーパ状に面取りされる。
【００２７】
・インキ吸蔵体
前記インキ吸蔵体４は、円柱状の合成樹脂製繊維（例えば、ポリエステル繊維）の加工体よりなる。前記インキ吸蔵体４の前端面の軸心にペン先３の後端が突き刺し挿入され、前記ペン先３の後端が前記インキ吸蔵体４の内部前方に位置される。尚、本考案では、前記インキ吸蔵体４を設ける代わりに、ペン先３とインキタンク８との間に、インキタンク８の内圧上昇に応じた溢出インキを一時的に保持する櫛歯状のインキ保溜部材を設けてもよい。
【００２８】
・軸筒
前記軸筒５は、合成樹脂（例えば、ポリプロピレン、ポリエチレン等）の射出成形により得られる筒状体である。前記軸筒５の先細状の前端部にペン先３外周面が保持され、前記軸筒５の後端開口部内周面に雌ネジ部５１が形成される。
【００２９】
・中間部材
前記中間部材６は、合成樹脂（例えば、ポリプロピレン、ポリエチレン等）の射出成形より得られる。前記中間部材６は、前記インキ吸蔵体４とインキタンク８とを区画する隔壁６１と、前記隔壁６１の前面より前方に突出され且つインキ吸蔵体４の内部に突き刺し接続される複数本（具体的には２本）の連通管６２と、前記隔壁６１の後面より後方に突出され且つインキタンク８の前端開口部に挿着される接続管６３と、前記隔壁６１の後面より後方に突出し且つ軸筒５内面（本体部内面）に固着される取付筒部６４とを備える。前記接続管６３には栓体８１の片側を押圧するため突片６３ａが一体に形成される。前記隔壁６１の前面には、板状のリブよりなる規制壁部６１ａが一体に形成される。前記規制壁部６１ａがインキ吸蔵体４の後端面と当接される。
【００３０】
・インキタンク
前記インキタンク８は、前端が開口され且つ後端が閉鎖された有底筒状体であり、透明合成樹脂（例えばポリプロピレン）の射出成形またはブロー成形により得られる。前記インキタンク８内には、直にインキが貯溜される。前記インキタンク８内に貯溜されるインキは、水性インキ、油性インキのいずれであってもよい。
【００３１】
前記インキタンク８の前端開口部内面には、中間部材６の接続管６３外面が着脱自在に嵌着される。前記インキタンク８のインキが消費され筆記不能となった場合、前記インキタンク８を接続管６３から取り外し、内部にインキが充填された新たなインキタンク８の前端開口部に接続管６３を挿着する。それにより、再び、筆記可能となる。前記新たなインキタンク８の前端開口部は、栓体８１により閉鎖されている。接続管６３をインキタンク８の前端開口部に挿着した際、前記接続管６３の突片６３ａが栓体８１を後方に押圧し、栓体８１を外し、インキタンク８の前端開口部が開栓される。
【００３２】
・尾栓
前記尾栓７は、前端が開口され且つ後端が閉鎖された有底筒状体からなり、透明合成樹脂（例えばポリプロピレン）の射出成形により得られる。
【００３３】
前記尾栓７の前部外周面には、雄ネジ部からなる軸筒取付部７１が形成され、軸筒取付部７１が軸筒５の後端開口部内周面の雌ネジ部５１と着脱可能に螺合される。前記尾栓７の後部外周面には、キャップ取付部７３が形成され、前記キャップ取付部７３に、ペン先３側から取り外したキャップ９が着脱自在に嵌着される。前記軸筒取付部７１の後方且つキャップ取付部７３の前方の尾栓７の周壁には、インキタンク８内のインキを外部から視認可能にするインキ視認部７２が形成される。
【００３４】
また、前記軸筒取付部７１後方且つ前記インキ視認部７２前方の尾栓７の外周面に、軸筒５後端と当接可能な前向段部７５が形成され、前記インキ視認部７２後方且つ前記キャップ取付部７３前方の尾栓７の外周面に、キャップ９の開口端と当接可能な後向段部７６が形成される。
【００３５】
また、前記インキ視認部７２の外周面には、複数本（例えば４本）の軸方向のリブ（図示せず）が等間隔に一体に形成される。前記リブにより、尾栓７を軸筒５に螺合する際の滑り止めがなされる。さらに、前記インキ視認部７２の前端部外周面（即ち前向段部７５近傍のインキ視認部７２外周面）には、転がり防止用突起７７が一体に形成される。前記転がり防止用突起７７の径方向の頂部は、軸筒５の外周面から後方に延ばした延長線より径方向外方に位置される。
【００３６】
前記尾栓７の後端壁の内面（尾栓７の底壁の内面）に、インキタンク８の後端が当接可能な当接壁部７４が形成される。それにより、インキタンク８の後端部が軸筒５後端から後方に突出する突出量を大きく設定でき、尾栓７のインキ視認部７２の前端から後端までの領域で、確実にインキ色及びインキ残量の視認が可能となる。
【００３７】
前記キャップ９は、一端が開口され且つ他端が閉鎖された有底筒状体からなり、合成樹脂（例えばポリプロピレン、ポリエチレン）の射出成形により得られる。本実施の形態では、インキ色と略同色に着色される。
【００３８】
筆記使用時、キャップ９をペン先３側から取り外し、そのキャップ９を尾栓７のキャップ取付部７３に嵌着させる。このとき、前記キャップ９の前端は、尾栓７の後向段部７６に当接され、尾栓７のインキ視認部７２は、キャップ９で覆われていない。そのため、外部よりインキ視認部７２を通して、インキタンク８内部のインキ色及びインキ残量を確実に視認することができる。
【００３９】
インキタンク交換時、前記尾栓７を軸筒５の後端部から螺着状態を緩めて取り外し、前記インキタンク８を取り外した後、新たなインキタンク８を軸筒５内に挿入するとともに、尾栓７を軸筒５後端部に再び螺合する。前記尾栓７と軸筒５後端部との螺着する過程で、インキタンク８の後端と尾栓７の後端壁（当接壁部７４）とが当接し、尾栓７と軸筒５とのネジ締めによりインキタンク８が軸筒５内に押圧され、インキタンク８の前端開口部が開栓される。
【００４０】
（第２の実施の形態）
本考案の第２の実施の形態のインキタンク交換式筆記具１を図３に示す。本実施の形態は第１の実施の形態の変形例であり、第１の実施の形態と異なる点は、取付筒部６４が、隔壁６１の前面より前方に突出され且つ各々の連通管６２基部を包囲する点と、規制壁部６１ａが隔壁６１前面より前方に大きく突出される点と、尾栓７の側壁内面に当接壁部７４が形成される点である。
【００４１】
前記尾栓７の側壁内面には、インキタンク８の後端が当接可能な当接壁部７４が形成され、前記当接壁部７４の後方の尾栓７の外面にキャップ取付部７３が形成される。それにより、キャップ９を尾栓７の外面に装着した際にインキタンク８がキャップ９で覆われることを回避でき、インキタンク８内部のインキ色及びインキ残量の視認が、より一層、確実となる。
【００４２】
尚、本実施の形態における他の構成は、第１の実施の形態と同様であるため説明を省略する。尚、本考案で、インキタンク及び尾栓を構成する透明材料とは、インキタンク内部のインキ色及びインキ残量が視認可能であればよく、半透明材料であってもよい。
【図面の簡単な説明】
【００４３】
【図１】本考案の第１の実施の形態における、キャップを軸筒後端部に装着した状態を示す縦断面図である。
【図２】図１のＡ−Ａ線断面図である。
【図３】本考案の第２の実施の形態における、キャップを軸筒後端部に装着した状態を示す縦断面図である。
【符号の説明】
【００４４】
１  インキタンク交換式筆記具
２  筆記具本体
３  ペン先
４  インキ吸蔵体
５  軸筒
５１  雌ネジ部
６  中間部材
６１  隔壁
６１ａ  規制壁部
６２  連通管
６３  接続管
６３ａ  突片
６４  取付筒部
７  尾栓
７１  軸筒取付部（雄ネジ部）
７２  インキ視認部
７３  キャップ取付部
７４  当接壁部
７５  前向段部
７６  後向段部
７７  転がり防止用突起
８  インキタンク
８１  栓体
９  キャップ
【図１】
0003150534.tif 000003
【図２】
0003150534.tif 000004
【図３】
0003150534.tif 000005